(57)【要約】【課題】各プレーヤーの貢献度を記入しうるスクランブルゴルフ用スコアカードの提供。【解決手段】スクランブルゴルフ用スコアカード２は、ホール番号記載欄８と、チームスコア記入欄１０と、パー数記載欄１２と、各プレーヤーの貢献度に関する情報を記入するための貢献記入欄１４とを備えている。このスクランブルゴルフ用スコアカード２は、更に、いずれのプレーヤーの貢献にも属さないことを示す情報を記入するための貢献除外記入欄１６を備えている。このスクランブルゴルフ用スコアカード２において、上記貢献記入欄１４は、貢献回数の合計を記入するための合計記載部として、第一合計記載部１４ｃ、第二合計記載部１４ｄ及び総合計記載部１４ｅを有している。【選択図】図１
0003156580.tif 000002
【実用新案登録請求の範囲】
【請求項１】
ホール番号記載欄と、
チームスコア記入欄と、
パー数記載欄と、
各プレーヤーの貢献度に関する情報を記入するための貢献記入欄と、
を備えたスクランブルゴルフ用スコアカード。
【請求項２】
いずれのプレーヤーの貢献にも属さないことを示す情報を記入するための貢献除外記入欄を更に備えた請求項１に記載のスクランブルゴルフ用スコアカード。
【請求項３】
上記貢献除外記入欄が、所定距離以下のパッティングが残されたことに関する情報を記入するための欄である請求項２に記載のスクランブルゴルフ用スコアカード。
【請求項４】
上記貢献記入欄が、貢献回数の合計を記入するための合計記載部を有している請求項１から３のいずれかに記載のスクランブルゴルフ用スコアカード。
【考案の詳細な説明】
【技術分野】
【０００１】
本考案は、スクランブルゴルフ用スコアカードに関する。
【背景技術】
【０００２】
ゴルフの競技方法として、スクランブルゴルフが知られている。スクランブルゴルフは、通常のゴルフとは異なる。一般的なスクランブルゴルフでは、ティショットは全員で打ち、セカンドショット以降は、全員のボールの中から、ベストボジションと思われるボールを採用し、その地点から全員でショットする。この方式が、セカンドショットからカップインまで繰り返される。スクランブルゴルフでは、通常のゴルフとは異なった楽しみ方が可能である。例えば、スクランブルゴルフでは、ビギナーでも容易にバーディーパットの緊張感を体験することができる。スクランブルゴルフは、ゴルフ人口の増加及びゴルフ業界の活性化に寄与しうる。
【０００３】
ところで、ゴルフのプレーには、スコアカードが用いられる。通常のものとは異なるスコアカードが提案されている。実用新案登録第３０７７５６６号公報は、パット数、フェアウエイキープの有無、パーオンの有無、使用クラブ等を記入する欄を有するスコアカードを開示する。特開２００３−３３４６０号公報は、使用クラブ、球筋、ボールの落下地点の状況、ピンまでの残り距離等の記載欄を有するスコアカードを開示する。実用新案登録第３１１０４３０号公報は、パット数、ティショットの飛距離、グリーンオン時点でのカップまでの距離、ＯＢ回数等の記載欄を有するスコアカードを開示する。実用新案登録第３１１６４１６号公報は、パット数、ショット時の地形、ボールの状況、風向き等をを自由に記載できる複数の記入欄を有するスコアカードを開示する。実開平２−１３３３７８号公報は、各クラブの使用回数、ショット結果の良否、ＯＢ回数、バンカーショットの回数等の記入欄を有するスコアカードを開示する。実用新案登録第２５９５５０４号公報は、競技結果のスコアに該当する数字に印を付けて競技結果を記録できるようにされたスコアカードを開示する。
【先行技術文献】
【特許文献】
【０００４】
【特許文献１】実用新案登録第３０７７５６６号公報
【特許文献２】特開２００３−３３４６０号公報
【特許文献３】実用新案登録第３１１０４３０号公報
【特許文献４】実用新案登録第３１１６４１６号公報
【特許文献５】実開平２−１３３３７８号公報
【特許文献６】実用新案登録第２５９５５０４号公報
【考案の概要】
【考案が解決しようとする課題】
【０００５】
前述された従来のスコアカードは、いずれも、通常のゴルフ用のスコアカードである。スクランブルゴルフに適したスコアカードは、提案されていない。スクランブルゴルフでは、チームスコアへの貢献度が、プレーヤー毎に相違しうる。この貢献度に着目したスコアカードは存在しない。
【０００６】
本考案の目的は、スクランブルゴルフに適したスコアカードの提供にある。
【課題を解決するための手段】
【０００７】
本考案に係るスクランブルゴルフ用スコアカードは、ホール番号記載欄と、チームスコア記入欄と、パー数記載欄と、各プレーヤーの貢献度に関する情報を記入するための貢献記入欄とを備えている。
【０００８】
好ましくは、上記スクランブルゴルフ用スコアカードは、いずれのプレーヤーの貢献にも属さないことを示す情報を記入するための貢献除外記入欄を更に備えている。
【０００９】
好ましくは、上記貢献除外記入欄は、所定距離以下のパッティングが残されたことに関する情報を記入するための欄である。
【００１０】
好ましくは、上記貢献記入欄は、貢献回数の合計を記入するための合計記載部を有している。
【考案の効果】
【００１１】
本考案に係るスクランブルゴルフ用スコアカードでは、チームの成績に対する各メンバーの貢献度を把握することができる。
【図面の簡単な説明】
【００１２】
【図１】図１は、本考案の第一実施形態に係るスクランブルゴルフ用スコアカードが示された図である。図１は、記入される前の状態を示す。
【図２】図２は、図１のスクランブルゴルフ用スコアカードが記入された後の状態を示す図である。
【図３】図３は、本考案の第二実施形態に係るスクランブルゴルフ用スコアカードが示された図である。図３は、記入される前の状態を示す。
【図４】図４は、本考案の第三実施形態に係るスクランブルゴルフ用スコアカードが示された図である。図４は、記入される前の状態を示す。
【考案を実施するための形態】
【００１３】
以下、適宜図面が参照されつつ、好ましい実施形態に基づいて本考案が詳細に説明される。
【００１４】
図１及び図２は、本考案の第一実施形態に係るスクランブルゴルフ用スコアカード２を示す図である。図１は、記入される前のスコアカード２を示している。図２は、記入された後（使用後）のスコアカード２を示している。図２は、スコアカード２の記入例であり、他の記入方法も許容されうる。
【００１５】
スコアカード２は、例えば、紙に印刷された印刷物である。図示されないスコアカード２の裏面には、例えば、スクランブルゴルフのルール、通常のゴルフルール、ローカルルール、ゴルフコースの説明等が記載されうる。
【００１６】
スコアカード２は、日付記入欄４と、表６とを有する。表６は、行と列とによって構成されている。
【００１７】
表６は、ホール番号記載欄８、チームスコア記入欄１０、パー数記載欄１２、貢献記入欄１４及び貢献除外記入欄１６を有する。
【００１８】
ホール番号記載欄８は、表６における一つの行である。本実施形態においてホール番号記載欄８は、最も上の行である。この行の位置は限定されない。ホール番号記載欄８は、スコアカード２の使用前に記載されている。
【００１９】
ホール番号記載欄８は、表題部８ａと、番号記載部８ｂと、第一合計記載部８ｃと、第二合計記載部８ｄと、総合計記載部８ｅとを有する。表題部８ａ、番号記載部８ｂ、第一合計記載部８ｃ、第二合計記載部８ｄ及び総合計記載部８ｅは、使用前に予め記載（印刷）されている。
【００２０】
本実施形態のスコアカード２では、番号記載部８ｂの数は、１８である。これは、ホールの数に対応している。番号記載部８ｂの数は、１８に限られず、ホール数に対応して変更されうる。
【００２１】
典型的なスコアカード２では、表題部８ａに「ＨＯＬＥ」又は「ホール」と記載され、番号記載部８ｂに各ホールの番号が記載され、第一合計記載部８ｃに「ＯＵＴ」又は「アウト」と記載され、第二合計記載部８ｄに「ＩＮ」又は「イン」と記載され、総合計記載部８ｅに「ＴＯＴＡＬ」又は「トータル」と記載される。これらはあくまで典型的な記載にすぎず、他の記載も可能である。各ゴルフ場における称呼等に対応して、ホール番号記載欄８の記載内容は様々である。
【００２２】
チームスコア記入欄１０は、表６における一つの行である。本実施形態においてチームスコア記入欄１０は、上から２番目の行である。この行の位置は限定されない。
【００２３】
チームスコア記入欄１０は、表題部１０ａと、スコア記入部１０ｂと、第一合計記載部１０ｃと、第二合計記載部１０ｄと、総合計記載部１０ｅとを有する。表題部１０ａのみが、使用前に予め記載（印刷）されている。使用前のスコアカード２において、チームスコア記入欄１０は、表題部１０ａを除き、空欄である。
【００２４】
本実施形態のスコアカード２では、スコア記入部１０ｂの数は、１８である。これは、ホールの数に対応している。スコア記入部１０ｂの数は、１８に限られず、ホール数に対応して変更されうる。
【００２５】
典型的なスコアカード２では、表題部１０ａに「チームスコア」と記載されている。スコア記入部１０ｂには、各ホールごとのスコア（チームスコア）が記載される。第一合計記載部１０ｃ及び第二合計記載部１０ｄのそれぞれには、ハーフ（９ホール）のチームスコアの合計が記入される。総合計記載部１０ｅには、全てのホールのチームスコアの合計が記載される。
【００２６】
パー数記載欄１２は、表６における一つの行である。本実施形態においてパー数記載欄１２は、上から３番目の行である。この行の位置は限定されない。
【００２７】
パー数記載欄１２は、表題部１２ａと、記載部１２ｂと、第一合計記載部１２ｃと、第二合計記載部１２ｄと、総合計記載部１２ｅとを有する。表題部１２ａ、記載部１２ｂ、第一合計記載部１２ｃ、第二合計記載部１２ｄ及び総合計記載部１２ｅは、使用前に予め記載（印刷）されている。
【００２８】
本実施形態のスコアカード２では、記載部１２ｂの数は、１８である。これは、ホールの数に対応している。記載部１２ｂの数は、１８に限られず、ホール数に対応して変更されうる。
【００２９】
典型的なスコアカード２では、表題部１２ａに「ＰＡＲ」と記載されている。記載部１２ｂには、各ホールごとのパー数が記載されている。例えばパー４のホールであれば、「４」と記載されている。第一合計記載部１２ｃ及び第二合計記載部１２ｄのそれぞれには、ハーフ（９ホール）のパー数の合計が記入される。総合計記載部１２ｅには、全てのホールのパー数の合計が記載される。
【００３０】
貢献記入欄１４は、表６における複数の行である。典型的なスコアカード２では、貢献記入欄１４は、４つの行である。この行数は、一組のプレー人数に対応している。プレーヤーと同数の貢献記入欄１４が設けられている。
【００３１】
本実施形態の表６において、貢献記入欄１４は、上から４番目の行、上から５番目の行、上から６番目の行及び上から７番目の行である。これらの行の位置は限定されない。
【００３２】
貢献記入欄１４は、名前記入部１４ａと、貢献記入部１４ｂと、第一合計記載部１４ｃと、第二合計記載部１４ｄと、総合計記載部１４ｅとを有する。使用前において、名前記入部１４ａ及び貢献記入部１４ｂは空欄である。図１が示すように、使用前において、第一合計記載部１４ｃ、第二合計記載部１４ｄ及び総合計記載部１４ｅには、「回」の文字が記載（印刷）されている。なお、この「回」は、無くても良い。使用前において、第一合計記載部１４ｃ、第二合計記載部１４ｄ及び総合計記載部１４ｅが完全に空欄であってもよい。
【００３３】
本実施形態では、３つの合計記載部が設けられている。即ちこの３つの合計記載部は、第一合計記載部１４ｃ、第二合計記載部１４ｄ及び総合計記載部１４ｅである。
【００３４】
本実施形態のスコアカード２では、貢献記入部１４ｂの数は、１８である。これは、ホールの数に対応している。貢献記入部１４ｂの数は、１８に限られず、ホール数に対応して変更されうる。
【００３５】
典型的なスコアカード２では、名前記入部１４ａに、ゴルファーの名前が記入される（図２参照）。貢献記入部１４ｂ等の記載方法については、後述される。
【００３６】
貢献除外記入欄１６は、表６における一つの行である。本実施形態において貢献除外記入欄１６は、最も下の行である。この行の位置は限定されない。
【００３７】
貢献除外記入欄１６は、表題部１６ａと、貢献除外記入部１６ｂと、第一合計記載部１６ｃと、第二合計記載部１６ｄと、総合計記載部１６ｅとを有する。表題部１６ａのみが、使用前に予め記載（印刷）されている。使用前のスコアカード２において、貢献除外記入欄１６は、表題部１６ａを除き、空欄である。
【００３８】
本実施形態のスコアカード２では、貢献除外記入部１６ｂの数は、１８である。これは、ホールの数に対応している。貢献除外記入部１６ｂの数は、１８に限られず、ホール数に対応して変更されうる。
【００３９】
本実施形態では、表題部１６ａに「タップ・イン」と記載されている。この記載は限定されない。後述される貢献除外記入欄１６の主旨を考慮して、「タップ・イン」以外の文言が記載されてもよい。
【００４０】
以下、図２を参照しつつ、スコアカード２の記入方法が説明される。プレー中もしくはプレー後に記入されるのは、チームスコア記入欄１０、貢献記入欄１４及び貢献除外記入欄１６である。
【００４１】
前述の通り、スクランブルゴルフでは、チーム（ドロー）の全員が、ティーショットを打つ。以下、チーム（ドロー）が４名の場合を例として説明する。４名が打った４つのボールのなかから、１つのボールが採用され、この採用された地点から、４名のそれぞれがセカンドショットを打つ。この方式が、カップインまで繰り返される。
【００４２】
１番ホールを例として、図２の実施形態において想定されるプレーの状況を説明する。パー４の１番ホールにおいて、４名全員がティーショットを行った。山田氏のティーショットの停止位置は、他の３名のティーショットの停止位置よりも、好条件（例えば、ベストポジション）であった。そのため、１打目としては、山田氏のボールが選択された。この選択を記録するため、１番ホールの列の、山田氏の行に、「１」（円及びその円の内側の数字１）が記入された。山田氏のティーショットの地点から、４名全員が、セカンドショットを行った。その結果、鈴木氏のセカンドショットの停止位置は、他の３名のセカンドショットの停止位置よりも、好条件であった。そのため、２打目としては、鈴木氏のボールが選択された。この選択を記録するため、１番ホールの列の、鈴木氏の行に、「２」（円及びその円の内側の数字２）が記入された。鈴木氏の２打目の地点から、４名全員が、３打目（例えばファーストパット）を行った。その結果、山田氏の３打目（ファーストパット）の停止位置は、他の３名の停止位置よりも、好条件であった。そのため、３打目としては、山田氏のボールが選択された。この選択を記録するため、１番ホールの列の、山田氏の行に、「３」（円及びその円の内側の数字３）が記入された。山田氏のファーストパットの停止位置とカップとの距離は、所定距離Ｄ１以内であった。この所定距離は、例えば、グリップの長さ（３０ｃｍ程度）とされる。この第４打は、いわゆる「ＯＫパット」と認定された。このことを記録するため、１番ホールの列の、貢献除外記入部１６ｂに、「４」（円及びその円の内側の数字４）が記入された。これらの結果、１番ホールについては、チームとして、４打でホールアウトしたこととなる。よって、１番ホールの列の、スコア記入部１０ｂに、「４」が記入された。
【００４３】
続いて、２番ホールを例として、図２の実施形態におけるプレーの状況を説明する。パー３の２番ホールにおいて、４名全員がティーショットを行った。鈴木氏のティーショットの停止位置は、他の３名のティーショットの停止位置よりも、好条件であった。そのため、１打目としては、鈴木氏のボールが選択された。この選択を記録するため、２番ホールの列の、鈴木氏の行に、「１」（円及びその円の内側の数字１）が記入された。鈴木氏のティーショットの地点から、４名全員が、第２打（例えばファーストパット）を行った。その結果、山田氏が、カップインさせた。つまり、山田氏の２打目が採用された。このことを記録するため、２番ホールの列の、山田氏の行に、「２」（円及びその円の内側の数字２）が記入された。これらの結果、２番ホールについては、チームとして、２打でホールアウトしたこととなった。よって、２番ホールの列の、スコア記入部１０ｂに、「２」が記入された。
【００４４】
上記２番ホールにおいて、鈴木氏のティーショットの停止地点からカップまでの距離は、所定距離Ｄ１よりも長かった。このため、上記２番ホールの第２打は、いわゆる「ＯＫパット」とはならない。第２打（ファーストパット）は、山田氏の貢献として認定された。
【００４５】
上記の１番ホールにおいて、山田氏の第１打及び第３打が採用された。山田氏は、１番ホールにおいて、２回貢献したと言える。また、上記の１番ホールにおいて、鈴木氏の第２打が採用された。鈴木氏は、１番ホールにおいて、１回貢献したと言える。
【００４６】
上記の２番ホールにおいて、鈴木氏の第１打が採用された。鈴木氏は、２番ホールにおいて、１回貢献したと言える。また、上記の２番ホールにおいて、山田氏の第２打が採用された。山田氏は、２番ホールにおいて、１回貢献したと言える。
【００４７】
各プレーヤーの貢献回数の合計が、総合計記載部１４ｅに記載される。貢献除外記入欄１６に記載された回数（タップインの回数、即ち、ＯＫパットとしてピックアップされた回数）の合計が、総合計記載部１６ｅに記載される。このように貢献除外記入欄１６は、所定距離Ｄ１以下のパッティングが残されたことに関する情報を記入するための欄である。全ての総合計記載部１４ｅの数と総合計記載部１６ｅの数との合計は、チームスコアの合計（総合計記載部１０ｅに記載された数）に等しい。総合計記載部１４ｅ及び総合計記載部１６ｅは、チームスコアを検証する機能をも果たしうる。
【００４８】
パッティングの距離が非常に短い場合、誰が打ってもカップインされる可能性が高い。この観点から、例えば第４打がパッティングであり且つこのパッティングの距離が所定距離Ｄ１よりも短い場合、この第４打は、誰の貢献ともされないのが好ましいと考えられる。上記貢献除外記入欄１６を設けることにより、貢献回数から除外されるショット（パット）を確実に記録することができる。
【００４９】
上記所定距離Ｄ１は限定されないが、上述の主旨に鑑み、カップインの確率が極めて高い距離以下とされるのが好ましい。この観点から、上記所定距離Ｄ１は、例えば、グリップ１個分の長さ、又は、３０ｃｍ程度に設定することができる。
【００５０】
１番ホールから９番ホールまでの９ホールが終了した時点で、「ＯＵＴ」の列を記入することが可能となる。即ち、この時点で、第一合計記載部１０ｃ、第一合計記載部１４ｃ及び第一合計記載部１６ｃを記入することが可能となる。
【００５１】
第一合計記載部１０ｃに記載されるのは、１番ホールから９番ホールまでの、チームスコアの合計である。第一合計記載部１４ｃに記載されるのは、１番ホールから９番ホールまでの、そのプレーヤーの貢献回数の合計である。この貢献回数とは、貢献記入部１４ｂに記載された数字の個数である。例えば山田氏の場合、１番ホールには２個の数値が記載され、２番ホールには１個の数値が記載され、３番ホールには４個の数値が記載されている。１番ホールから９番ホールまでの、これらの個数の合計は、１５である。即ち、アウトの９ホールにおける、山田氏の貢献回数は、１５回である。
【００５２】
以上に説明されたように、スコアカード２は、チームスコアに加えて、各プレーヤーの貢献回数を確実に記載することができる。このスコアカード２により、チームのスコアに貢献したゴルファーを特定することができる。また、チームスコアに対する各ゴルファーの貢献度を把握することができる。
【００５３】
図３は、本考案の第二実施形態に係るスクランブルゴルフ用スコアカード２２を示す図である。図３は、記入される前のスコアカード２２を示している。
【００５４】
スコアカード２２は、日付記入欄２４と、表２６とを有する。表２６は、行と列とによって構成されている。
【００５５】
表２６は、ホール番号記載欄２８、チームスコア記入欄３０、パー数記載欄３２、貢献記入欄３４及び貢献除外記入欄３６を有する。
【００５６】
ホール番号記載欄２８は、表題部２８ａと、番号記載部２８ｂと、第一合計記載部２８ｃと、第二合計記載部２８ｄと、総合計記載部２８ｅとを有する。表題部２８ａ、番号記載部２８ｂ、第一合計記載部２８ｃ、第二合計記載部２８ｄ及び総合計記載部２８ｅは、使用前に予め記載（印刷）されている。
【００５７】
チームスコア記入欄３０は、表題部３０ａと、スコア記入部３０ｂと、第一合計記載部３０ｃと、第二合計記載部３０ｄと、総合計記載部３０ｅとを有する。表題部３０ａのみが、使用前に予め記載（印刷）されている。使用前のスコアカード２２において、チームスコア記入欄３０は、表題部３０ａを除き、空欄である。
【００５８】
パー数記載欄３２は、表題部３２ａと、記載部３２ｂと、第一合計記載部３２ｃと、第二合計記載部３２ｄと、総合計記載部３２ｅとを有する。使用前において、記載部３２ｂ、第一合計記載部３２ｃ、第二合計記載部３２ｄ及び総合計記載部３２ｅは、空欄である。プレーの前に、各ゴルフ場で定められたパー数を、これらの空欄に記載することができる。
【００５９】
貢献記入欄３４は、名前記入部３４ａと、貢献記入部３４ｂと、第一合計記載部３４ｃと、第二合計記載部３４ｄと、総合計記載部３４ｅとを有する。使用前において、名前記入部３４ａ及び貢献記入部３４ｂは空欄である。図３が示すように、使用前において、第一合計記載部３４ｃ、第二合計記載部３４ｄ及び総合計記載部３４ｅには、「回」の文字が記載（印刷）されている。なお、この「回」は、無くても良い。使用前において、第一合計記載部３４ｃ、第二合計記載部３４ｄ及び総合計記載部３４ｅが完全に空欄であってもよい。
【００６０】
貢献除外記入欄３６は、表題部３６ａと、貢献除外記入部３６ｂと、第一合計記載部３６ｃと、第二合計記載部３６ｄと、総合計記載部３６ｅとを有する。表題部３６ａのみが、使用前に予め記載（印刷）されている。使用前のスコアカード２２において、貢献除外記入欄３６は、表題部３６ａを除き、空欄である。
【００６１】
本実施形態のスコアカード２２は、パー数記載欄３２に各ホール毎のパー数等が予め記載されていない他は、前述のスコアカード２と同じである。このスコアカード２２は、パー数を自由に記載できるため、多くのゴルフ場での使用が可能である。このスコアカード２２は、汎用性に優れる。
【００６２】
図４は、本考案の第三実施形態に係るスクランブルゴルフ用スコアカード４２を示す図である。図４は、記入される前のスコアカード４２を示している。
【００６３】
スコアカード４２は、日付記入欄４４と、表４６とを有する。表４６は、行と列とによって構成されている。
【００６４】
表４６は、ホール番号記載欄４８、チームスコア記入欄５０、パー数記載欄５２及び貢献記入欄５４を有する。
【００６５】
ホール番号記載欄４８は、表題部４８ａと、番号記載部４８ｂと、第一合計記載部４８ｃと、第二合計記載部４８ｄと、総合計記載部４８ｅとを有する。表題部４８ａ、番号記載部４８ｂ、第一合計記載部４８ｃ、第二合計記載部４８ｄ及び総合計記載部４８ｅは、使用前に予め記載（印刷）されている。
【００６６】
チームスコア記入欄５０は、表題部５０ａと、スコア記入部５０ｂと、第一合計記載部５０ｃと、第二合計記載部５０ｄと、総合計記載部５０ｅとを有する。表題部５０ａのみが、使用前に予め記載（印刷）されている。使用前のスコアカード４２において、チームスコア記入欄５０は、表題部５０ａを除き、空欄である。
【００６７】
パー数記載欄５２は、表題部５２ａと、記載部５２ｂと、第一合計記載部５２ｃと、第二合計記載部５２ｄと、総合計記載部５２ｅとを有する。使用前において、表題部５２ａ、記載部５２ｂ、第一合計記載部５２ｃ、第二合計記載部５２ｄ及び総合計記載部５２ｅには、各ゴルフ場で定められたパー数が記載されている。
【００６８】
貢献記入欄５４は、名前記入部５４ａと、貢献記入部５４ｂと、第一合計記載部５４ｃと、第二合計記載部５４ｄと、総合計記載部５４ｅとを有する。使用前において、名前記入部５４ａ及び貢献記入部５４ｂは空欄である。図４が示すように、使用前において、第一合計記載部５４ｃ、第二合計記載部５４ｄ及び総合計記載部５４ｅには、「回」の文字が記載（印刷）されている。なお、この「回」は、無くても良い。
【００６９】
本実施形態では、貢献除外記入欄が設けられていない。本考案では、このような形態も可能である。ただし、スクランブルゴルフにおける特殊性に鑑み、チームスコアへの貢献をより一層正確に記録する観点から、貢献除外記入欄を設けるのが好ましい。
【００７０】
本考案は、上記実施形態に限定されない。例えば、上記表の行の順序や列の順序が変更されてもよい。また、上記表の行と列とが入れ替わっていても良い。
【００７１】
貢献記入欄への記入を容易とする観点から、貢献記入部の面積が広くされてもよい。
【００７２】
貢献記入部への記入は、図２の形態に限定されない。貢献回数のみを記録するのであれば、貢献記入部には、番号を記載する必要はない。この場合例えば、貢献するごとに何らかの印（棒線、チェック等）を記入するだけでもよい。
【００７３】
上記以外の記載欄が適宜設けられても良い。上記以外の記載欄として、例えば、グリーン外からのショットとグリーン上からのパッティングとの区別を可能とするための記載欄が挙げられる。この記載欄には、例えば、パット回数が記載される。
【００７４】
スクランブルゴルフでは、様々なルール（以下、特別ルールともいう）が設定されうる。この特別ルールは、スクランブルゴルフの楽しさを増加させうる。この特別ルールとして、例えば次の記載が挙げられる。
（特別ルール）：「１番から９番のティーショットに関して、全てのプレーヤーの打球が１回以上採用されなければならない。」
【００７５】
このような、ボールの採用を制限するルールによって選択されたショットは、通常通りに選択されたショット（ベストポジションのショット）と区別されてもよい。この観点から、上記実施形態に加えて、ボールの採用を制限するルールによって選択されたショットを記入するための欄が設けられてもよい。
【００７６】
いずれかのプレーヤーがパッティングをカップインさせた時点で、ホールアウトである。上記「タップ・イン」の距離よりも長いパットであって且つ比較的簡単なパットは、カップインの可能性が高いにも関わらず、「チームへの貢献」としてカウントされる。この「貢献」は、パッティングの順番に左右されやすい。即ち、パッティングの順番が早いプレーヤーが「貢献」しやすい。この「貢献」は、ティーショット等での「貢献」よりも、貢献度が低いと考えることもできる。この観点から、上記実施形態に加えて、例えば、以下の欄が設けられても良い。
（１）パッティングの順番の記載欄
（２）パッティングの状況（カップまでの距離、優しさ等）の記入欄
【実施例】
【００７７】
以下、実施例によって本考案の効果が明らかにされるが、この実施例の記載に基づいて本考案が限定的に解釈されるべきではない。
【００７８】
図１に記載のスコアカードを用いて、山田氏、鈴木氏、佐藤氏及び渡辺氏の４名がチームとなり、スクランブルゴルフが実施される場合を考える。想定される結果は、例えば、図２に記載の通りとなる。チームスコアは６５ストロークであり、山田氏の貢献回数は３１回であり、鈴木氏の貢献回数は１１回であり、佐藤氏の貢献回数は６回であり、渡辺氏の貢献回数は７回である。このように、本考案によれば、各プレーヤーの貢献度合いが確実に記録されうる。
【産業上の利用可能性】
【００７９】
以上説明された考案は、スクランブルゴルフに適用されうる。
【符号の説明】
【００８０】
２、２２、４２・・・スクランブルゴルフ用スコアカード
４、２４、４４・・・日付記入欄
６、２６、４６・・・表
８、２８、４８・・・ホール番号記載欄
１０、３０、５０・・・チームスコア記入欄
１２、３２、５２・・・パー数記載欄
１４、３４、５４・・・貢献記入欄
１４ｃ、３４ｃ、５４ｃ・・・合計記載部（第一合計記載部）
１４ｄ、３４ｄ、５４ｄ・・・合計記載部（第二合計記載部）
１４ｅ、３４ｅ、５４ｅ・・・合計記載部（総合計記載部）
１６、３６・・・貢献除外記入欄
【図１】
0003156580.tif 000003
【図２】
0003156580.tif 000004
【図３】
0003156580.tif 000005
【図４】
0003156580.tif 000006